(57)【要約】【課題】見栄えのよい間仕切家具を提供することにある。【解決手段】室内を仕切る収納家具本体２と、この収納家具本体２の上面に設けたガイド枠体と、このガイド枠体に沿って上下動可能に設けられるとともに室内の天井面に押圧される幕板体３０とを備え、前記ガイド枠体は、収納家具本体の上面の前後に配置されるとともに左右に延び且つ所定の高さを有する前側枠板部と後側枠板部とを有する。幕板体３０は、前記前側枠板部の前側に配置される幕板部３２と、前記後側枠板部の後側に配置される幕板部３３とを有し、収納家具本体２の前面に取り付けられる扉４の上部４ａをこの収納家具本体２の上面より上方に突出させて幕板部３２を覆い、収納家具本体２の後面に取付けられる扉５の上部５ａをこの収納家具本体２の上面より上方に突出させて幕板部３３を覆う。【選択図】図２
2008080039.tif 000002
【特許請求の範囲】
【請求項１】
室内を仕切る収納家具本体と、この収納家具本体の上面に設けたガイド枠体と、このガイド枠体に沿って上下動可能に設けられるとともに前記室内の天井面に押圧される幕板体とを備え、前記ガイド枠体は、収納家具本体の上面の前後に配置されるとともに所定の高さを有する前側枠板部と後側枠板部とを有する間仕切家具であって、
前記幕板体は、前記前側枠板部の前側に配置される第１幕板部と、前記後側枠板部の後側に配置される第２幕板部とを有し、
前記収納家具本体の前面に取り付けられる第１化粧板の上部をこの収納家具本体の上面より上方に突出させ、
前記収納家具本体の後面に取り付けられる第２化粧板の上部をこの収納家具本体の上面より上方に突出させ、
前記幕板体が天井面に押圧している際、第１化粧板の上部が第１幕板部の下部を覆い、第２化粧板の上部が第２幕板部の下部を覆うことを特徴とする間仕切家具。
【請求項２】
第１,第２化粧板のどちらか一方が少なくとも収納家具本体の扉であることを特徴とする請求項１に記載の間仕切家具。
【請求項３】
前記収納家具本体の側面と、幕板体の側面とにシール部材を設け、複数の間仕切家具を並設して室内を仕切るとき、間仕切家具と間仕切家具との間の隙間をシールすることを特徴とする請求項１または請求項２に記載の間仕切家具。
【発明の詳細な説明】
【技術分野】
【０００１】
この発明は、室内を仕切るとともに収納庫として使用可能な間仕切家具に関する。
【背景技術】
【０００２】
従来から、室内を任意に仕切るとともに収納庫として使用する間仕切家具が知られている（特許文献１参照）。
【０００３】
かかる間仕切家具は、収納家具本体と、この収納家具本体の上面に上下動可能に設けた幕板ユニットとを備えている。
【０００４】
幕板ユニットは、収納家具本体の天板に上下動可能に取り付けた底板と、この底板の四辺に設けた幕板とを有している。
【０００５】
そして、収納家具本体の側板の上部両側に切欠段部が設けられ、幕板の両端部が切欠段部内に配置されて昇降可能とされている。この切欠段部に固定基板が設けられており、この固定基板の後に幕板ユニットが配置されている。
【特許文献１】特開２００１−２０７５７０号公報
【発明の開示】
【発明が解決しようとする課題】
【０００６】
しかしながら、この間仕切家具にあっては、幕板ユニットが上昇されている場合、幕板ユニットの幕板の下部が露出する虞があり、しかも固定基板が露出しているので、見栄えが非常に悪いという問題があった。
【０００７】
この発明の目的は、見栄えのよい間仕切家具を提供することにある。
【課題を解決するための手段】
【０００８】
請求項１の発明は、室内を仕切る収納家具本体と、この収納家具本体の上面に設けたガイド枠体と、このガイド枠体に沿って上下動可能に設けられるとともに前記室内の天井面に押圧される幕板体とを備え、前記ガイド枠体は、収納家具本体の上面の前後に配置されるとともに所定の高さを有する前側枠板部と後側枠板部とを有する間仕切家具であって、
前記幕板体は、前記前側枠板部の前側に配置される第１幕板部と、前記後側枠板部の後側に配置される第２幕板部とを有し、
前記収納家具本体の前面に取り付けられる第１化粧板の上部をこの収納家具本体の上面より上方に突出させ、
前記収納家具本体の後面に取り付けられる第２化粧板の上部をこの収納家具本体の上面より上方に突出させ、
前記幕板体が天井面に押圧している際、第１化粧板の上部が第１幕板部の下部を覆い、第２化粧板の上部が第２幕板部の下部を覆うことを特徴とする。
【０００９】
請求項２の発明は、第１,第２化粧板のどちらか一方が少なくとも収納家具本体の扉であることを特徴とする。
【００１０】
請求項３の発明は、前記収納家具本体の側面と、幕板体の側面とにシール部材を設け、複数の間仕切家具を並設して室内を仕切るとき、間仕切家具と間仕切家具との間の隙間をシールすることを特徴とする。
【発明の効果】
【００１１】
この発明によれば、第１,第２化粧板によって第１,第２幕板の下部を覆うので、見栄えのよい間仕切家具を提供することができる。
【発明を実施するための最良の形態】
【００１２】
以下、この発明に係る間仕切家具の実施の形態である実施例を図面に基づいて説明する。
【実施例】
【００１３】
［第１実施例］
図１ないし図３に示す間仕切家具１は、収納家具本体２と、この収納家具本体２の上部に設けられた幕板ユニット２０とを備えている。
【００１４】
収納家具本体２は、前面および後面が開口された筐体３と、この筐体３の前面開口に設けられた前扉（第１化粧板）４と、後面開口に設けられた後扉（第２化粧板）５と、筐体３の両側面に設けられた化粧板６,６とを有している。
【００１５】
扉４,５の上部４ａ,５ａは筐体３の天板７（収納家具本体２の上面）より上方に突出している。同様に、化粧板６の上部６ａも筐体３の天板７より上方に突出している。化粧板６の前後には上端から下端に亘って例えばゴム製のシール部材８,９が貼着されている。他方の化粧板６にも同様にシール部材（図示せず）が貼着されている。
【００１６】
幕板ユニット２０は、図４に示すように、筐体３の天板７の上面に設けられたガイド枠体２１と、このガイド枠体２１に上下動可能に設けられる幕板体３０とを有している。
【００１７】
ガイド枠体２１は、左右に延び且つ所定の高さを有する前側枠板部２２および後側枠板部２３と、前後に延びるとともに所定の高さを有する側枠板部２４,２５とを有している。前側枠板部２２および後側枠板部２３の両端には切欠２２Ａ,２３Ａが設けられている。切欠２２Ａ,２３Ａの深さ（高さ）は枠板部２２〜２５の高さのほぼ１／２となっている。また、各枠板部２２〜２５は筐体３の天板７の端部から所定距離引き込んだ位置に設けられている。この天板７の中央部には穴７Ａが形成されている。
【００１８】
天板７の上面には、図１２および図１３に示すように穴７Ａを通る位置に補強部材１０が設けられており、この補強部材１０にアジャスタ１１を回転自在に保持する保持部材１２が取り付けられている。アジャスタ１１の頭１１Ａは補強部材１０の穴１０Ａに挿入されており、天板７の穴７Ａからドライバを差し込んでアジャスタ１１の頭１１Ａにそのドライバの先端部を係合させることによりアジャスタ１１を回転操作することができるようになっている。なお、補強部材１０は図４において省略してある。
【００１９】
幕板体３０は、図４ないし図９に示すように、上板３１と、この上板３１の下面の前端に設けた幕板部（第１幕板部）３２と、上板３１の下面の後端に設けた幕板部（第２幕板部）３３と、幕板部３２と幕板部３３との間であって両側に設けられた側板部３４,３５とを有している。上板３１の中央部には穴３１Ａが形成されている。
【００２０】
幕板部３２,３３および側板部３４,３５の高さは、ガイド枠体２１の枠板部２２〜２５の高さとほぼ同一に設定されている。また、幕板部３２の両端面に例えばゴム製のシール部材Ｋが貼着されている。
【００２１】
側板部３４,３５の両端には切欠３４Ａ,３５Ａが設けられており、この切欠３４Ａ,３５Ａの深さ（高さ）は側板部３４,３５の高さのほぼ１／２に設定されている。
【００２２】
そして、幕板体３０の幕板部３２は、図１０に示すようにガイド枠体２１（図４参照）の前側枠板部２２の前側（図１０において左側）に配置され、幕板体３０の幕板部３３はガイド枠体２１の後前枠板部２３の後側（図１０において右側）に配置される。すなわち、前側枠板部２２と前扉４の上部４ａとの間の隙間に幕板部３２が上下動可能に入り込み、後側枠板部２３と後扉５の上部５ａとの間の隙間に幕板部３３が上下動可能に入り込んでいる。また、幕板体３０の側板部３４,３５がガイド枠体２１の側枠板部２２,２３間に入り込み、側板部３４,３５の切欠３４Ａ,３５Ａと側枠板部２２,２３の切欠２２Ａ,２３Ａとが互いに入り込んだ状態となっている。そして、図１０に示す状態から図１１に示すように幕板体３０が上方に移動できるようになっている。
【００２３】
また、図１２および図１３に示すように、幕板体３０の上板３１の穴３１Ａの位置に補強板３９が取り付けられており、この補強板３９に穴３１Ａと対向した位置にナット３７が装着され、このナット３７にアジャスタ１１の先端部が螺合されている。また、筐体３の天板７と幕板体３０の上板３１との間の四隅にはスプリングＳ１〜Ｓ４が設けられており、幕板体３０が上方に付勢されている。
【００２４】
そして、アジャスタ１１を回転操作することにより、図１４および図１５に示すように、幕板体３０を上方に移動させることができるようになっている。
【００２５】
次に、間仕切家具１の使用方法について説明する。
【００２６】
先ず、幕板体３０を図１２および図１３に示す位置に位置させておく。このとき、幕板体３０の幕板部３２,３３は収納家具本体２の扉４,５の上部４ａ,５ａによって覆われて目隠しされた状態となっている。そして、室内の仕切する位置に間仕切家具１を配置する。
【００２７】
次いで、間仕切家具１の内側から筐体３の天板７の穴７Ａにドライバを差し込んで、アジャスタ１１を回転操作して幕板体３０を上方に移動させていく。幕板体３０の上板３１を図１４および図１５に示すように室内の天井Ｔに押圧したら、アジャスタ１１の回転操作を止める。
【００２８】
幕板体３０は、図１６および図１７に示すように上方へ移動するが、幕板体３０の幕板部３２,３３の下部は収納家具本体２の扉４,５の上部４ａ,５ａによって覆われ、幕板部３２,３３の下部は露出しないようになっている。このため、間仕切家具１の見栄えはよいものとなる。
【００２９】
また、幕板体３０の上板３１はスプリングＳ１〜Ｓ４により上方に付勢されているので、上板３１全体がほぼ均一に天井に圧接し、上板３１全体を天井に密接させることができる。これにより、間仕切家具１による遮音や遮光の効果を向上させることができる。
【００３０】
同様にして、図１８に示すように他の間仕切家具１′を間仕切家具１に並設していく。間仕切家具１の両側面の化粧板６,７にシール部材８,９が貼着され、幕板体３０の幕板部３２の端面にシール部材Ｋが貼着されていることにより、間仕切家具１と間仕切家具１′との間をシール部材８,９,Ｋによりシールすることができ、間仕切家具１,１′による遮音や遮光の効果を向上させることができる。
【００３１】
また、幕板体３０が上方に移動しても、図１４に示すようにシール部材８とシール部材Ｋとの一部が前後方向に対してオーバーラップするので、遮音や遮光の効果をさらに向上させることができる。
［第２実施例］
図１９は第２実施例の間仕切家具１００を示す。この間仕切家具１００は左右方向の長さを長くしたものであり、１０１は前化粧板である。この前化粧板１０１の部分だけ間仕切家具１より左右方向の長さが長くなっている。幕板ユニット１２０は第１実施例の幕張ユニット２０と同様な構成となっているので、その説明は省略する。
［第３実施例］
図２０は第３実施例の間仕切家具２００を示す。この間仕切家具２００は前面と後面にそれぞれ４つの扉を有し、間仕切家具１の２倍の左右方向の幅を有するものである。幕板ユニット２２０は第１実施例の幕張ユニット２０と同様な構成となっているので、その説明は省略する。
【００３２】
上記実施例は、いずれも前面と後面とに扉を設けているがどちらか一方のみに扉を設けてもよい。
【図面の簡単な説明】
【００３３】
【図１】この発明に係る間仕切家具を示した正面図である。
【図２】図１に示す間仕切家具の上部を示した斜視図である。
【図３】図１に示す間仕切家具の側面図である。
【図４】幕張ユニットを示した分解斜視図である。
【図５】幕張ユニットの幕板体を示した平面図である。
【図６】図５に示す幕板体の縦断面図である。
【図７】図５に示す幕板体の側面図である。
【図８】図５に示す幕板体の底面図である。
【図９】図５に示す幕板体の横断面図である。
【図１０】幕張ユニットの要部を示した断面図である。
【図１１】幕板体が上方に移動した状態を示した幕張ユニットの要部の断面図である。
【図１２】幕張ユニットの構成を示した縦断面図である。
【図１３】幕張ユニットの構成を示した横断面図である。
【図１４】幕張ユニットを天井に押圧させた状態を示した間仕切家具の側面図である。
【図１５】幕張ユニットを天井に押圧させた状態を示した間仕切家具の正面図である。
【図１６】幕板体が上方に移動した状態を示した幕張ユニットを示した縦断面図である。
【図１７】幕板体が上方に移動した状態を示した幕張ユニットを示した横断面図である。
【図１８】間仕切家具を並設した状態を示した正面図である。
【図１９】第２実施例の間仕切家具を示した正面図である。
【図２０】第３実施例の間仕切家具を示した正面図である。
【符号の説明】
【００３４】
１          間仕切家具
２          収納家具本体
４          扉（第１化粧板）
５          扉（第２化粧板）
４ａ,５ａ   上部
２１        ガイド枠体
３０        幕板体
３２        幕板部（第１幕板部）
３３        幕板部（第２幕板部）
【図１】
2008080039.tif 000003
【図２】
2008080039.tif 000004
【図３】
2008080039.tif 000005
【図４】
2008080039.tif 000006
【図５】
2008080039.tif 000007
【図６】
2008080039.tif 000008
【図７】
2008080039.tif 000009
【図８】
2008080039.tif 000010
【図９】
2008080039.tif 000011
【図１０】
2008080039.tif 000012
【図１１】
2008080039.tif 000013
【図１２】
2008080039.tif 000014
【図１３】
2008080039.tif 000015
【図１４】
2008080039.tif 000016
【図１５】
2008080039.tif 000017
【図１６】
2008080039.tif 000018
【図１７】
2008080039.tif 000019
【図１８】
2008080039.tif 000020
【図１９】
2008080039.tif 000021
【図２０】
2008080039.tif 000022